(57)【特許請求の範囲】
【請求項１】
内箱と外箱の間に断熱材を充填した断熱箱体とその開口部に設けられたフランジ部と、前記断熱箱体を密閉する扉とその周縁部に設けられたガスケットと、ガスケットに形成された収納袋部に収納された磁石帯とからなり、磁石帯が前記フランジ部と密着することによって密閉空間をなし、前記ガスケットが、スチレン系，オレフィン系，ウレタン系，エステル系，アミド系，結晶ポリエチレン，シンジオタクチック１，２−ブタジエンラバー，トランス−１，４イソプレンラバーから選ばれた１つまたは２つ以上のハードセグメントを持ち、前記ハードセグメントにゴム成分を主体とするソフトセグメントを配合したサーモプラスチックエラストマーからなり、前記磁石帯がウレタン系発泡剤，ＥＰＤＭ系発泡剤，シリコン系発泡剤とアルニコ磁石，サマリウム・コバルト磁石，ネオジウム・鉄・ボロン磁石から選ばれた１つまたは２つ以上の磁性粉を含む磁性体との混合物からなるエラストマー発泡化した磁石帯であって、前記エラストマー発泡体化した磁石帯が、庫内側に硬いエラストマー発泡体を、庫外側に柔らかいエラストマー発泡体を配したことを特徴とする冷蔵庫用扉。
【請求項２】
内箱と外箱の間に断熱材を充填した断熱箱体とその開口部に設けられたフランジ部と、前記断熱箱体を密閉する回転式動作において開閉する機構を持つ扉とその周縁部に設けられたガスケットと、ガスケットに形成された収納袋部に収納された磁石帯とからなり、磁石帯が前記フランジ部と密着することによって密閉空間をなし、前記ガスケットが、スチレン系，オレフィン系，ウレタン系，エステル系，アミド系，結晶ポリエチレン，シンジオタクチック１，２−ブタジエンラバー，トランス−１，４イソプレンラバーから選ばれた１つまたは２つ以上のハードセグメントを持ち、前記ハードセグメントにゴム成分を主体とするソフトセグメントを配合したサーモプラスチックエラストマーからなり、前記磁石帯がウレタン系発泡剤，ＥＰＤＭ系発泡剤，シリコン系発泡剤とアルニコ磁石，サマリウム・コバルト磁石，ネオジウム・鉄・ボロン磁石から選ばれた１つまたは２つ以上の磁性粉を含む磁性体との混合物からなるエラストマー発泡化した磁石帯であって、硬いエラストマー発泡体化した磁石帯と柔らかいエラストマー発泡体化した磁石帯を表面裏面の２層構造に配して、回転中心に近い側で硬いエラストマー発泡体化した磁石帯を厚く、遠い側で柔らかいエラストマー発泡体化した磁石帯を厚くしたことを特徴とする冷蔵庫用扉。
【発明の詳細な説明】
【０００１】
【発明の属する技術分野】
本発明は、冷蔵庫用扉の密閉構造を冷蔵庫本体と共に形成するガスケットに関するものである。
【０００２】
【従来の技術】
従来から冷蔵庫の密閉構造の一部を担う扉ガスケットは軟質塩化ビニルが多用されてきた。
【０００３】
塩化ビニルは懸濁重合と言う化学装置としては比較的小型で安価な設備から製造できるうえ、成形性に優れ、また塩素を含むことから難燃性を有し、材料価格も安いので広範囲に使用されている汎用樹脂である。しかし、焼却時に塩化水素を発生し、この塩化水素が大気汚染防止法で規制されている点や、同じく焼却炉等の設備が塩化水素によって傷められる。このことから最近では塩化ビニルの使用が問題視されるようになってきた。
【０００４】
また塩ビ工業会も上記問題を認識しており、その使途を短期商品である包装資材や家電，自動車部品から長期商品である水道，下水パイプや下地シートに代表されるような土木，建築資材へ転換しようとしている。
【０００５】
その意味で冷蔵庫においても、塩化ビニル製ドアサシュを廃止することや、ガスケット構造を変更し重量を減少させることにより、その使用量を削減していく傾向にある。しかし、塩化ビニルでない脱塩素系の樹脂やエラストマーでガスケットを成形し実用化に供することは、短期製品とはいえ１０年以上もの寿命を有する冷蔵庫ではその適用が困難であった。
【０００６】
従来の冷蔵庫用扉としては特開平７−２５３２６９公報に示されているものがある。
【０００７】
以下、図面を参照しながら上記従来の冷蔵庫用扉を説明する。
図７は、現在の冷蔵庫の斜視図である。図７において１は冷蔵庫本体であり、その前面開口部に回転式の冷蔵室扉２、引き出し式の冷凍室扉３、同じく引き出し式の野菜室扉４が設けてある。
【０００８】
これら扉の構造は寸法を除いて基本構造は同じなので冷蔵室扉２を例に図８の要部断面図を用いて詳細に説明する。
【０００９】
冷蔵室扉２は左右辺５を折り曲げた金属表面板６と、金属表面板６の左右辺５に挿入された押出成形からなるガスケット取り付け用サッシュ７と、金属表面板６の上下辺に挿入した合成樹脂からなる射出成形品のハンドル８及びキャップ９とで枠組みされている。
【００１０】
この枠組みと、押出成形されたガスケット取り付け用サッシュ７のフランジ１０に固定されている補強板１１と、扉裏板１２の間に発泡断熱材１３が注入されている。さらに押出成形からなるガスケットの取り付け用サッシュ７と、射出成形品のハンドル８及びキャップ９で構成されたガスケット取り付け溝１４にガスケット１５が嵌め込まれている。
【００１１】
ガスケット１５は、一般に軟質塩化ビニルで押出し成形されており、ガスケット取り付け溝１４に挿入される挿入部１６は厚肉である。１７はゴム磁石であり、通常塩素化ポリオレフィン系のゴムとフェライト系の磁性粉を混合押出して成形している。１８はゴム磁石１７を収納するための収納袋部であり、１９は中空袋部、２０はひれ部であり、断熱のために空気室を持つ構造となっている。これら部分の軟質塩化ビニルは薄肉となっている。
【００１２】
また、ガスケット１５が密着する冷蔵庫１の鉄板製の外箱２１は曲げ加工によって内向きフランジ部２２を形成し、ＡＢＳやＰＳで成形された内箱２３に密着するようにスポンジ２４で留められている。また、この外箱２１と内箱２３の間には、扉２と同じように発泡断熱材１３が注入されている。
【００１３】
そして、ガスケット１５のゴム磁石１７は冷蔵庫扉が閉られる時にフランジ部２２に吸着することによって、冷蔵庫本体と共に密閉構造を形成し冷蔵庫の中からの冷気の漏れを防ぐ。
【００１４】
【発明が解決しようとする課題】
しかしながら、上記従来の構成のガスケット１５は材質が塩化ビニルであり廃棄された後に焼却されると塩化水素を発生し、この塩化水素が大気を汚染する点や、同じく焼却炉等の設備が塩化水素によって傷められるという課題があった。なお焼却前にガスケット１５だけを取り外すことも可能であるが、近年冷蔵庫は大型化し、かつ多扉化しているので、短時間で容易に取り除き難いと言う課題が生じる。
【００１５】
また、多扉化に伴ってガスケット１５を通じて熱の侵入量が増加し、電気エネルギー使用量が増大し地球温暖化を促進すると言う課題があった。
【００１６】
さらに、ゴム磁石１７と収納袋部１８に隙間ができ開閉時に音が出る課題やゴム磁石１８を挿入するための作業が困難であると言う課題もあった。
【００１７】
また、長期使用時には開閉時のフランジへの衝突力の差から、ガスケット１５の内側部分の変形が大きくなり密閉性が損なわれたり、ゴム磁石１７の重量から変形を生じ、上下方向の密閉性が損なわれると言う課題もあった。
【００１８】
特に回転式の扉２では回転中心に近い側のガスケット１５の変形が著しく、３方向での密閉性が損なわれ、その結果電気エネルギー使用量が極端に増大すると言う課題もあった。
【００１９】
本発明は従来の課題を解決するもので、廃棄時の問題を解消し熱の侵入量の削減や長期使用時の変形を少なくすることによって電気エネルギーの無駄をなくし、さらに無音化や作業性の向上に寄与することを目的とする。
【００２０】
【課題を解決するための手段】
この目的を達成するため本発明の冷蔵庫用扉のガスケットは、内箱と外箱の間に断熱材を充填した断熱箱体とその開口部に設けられたフランジ部と、前記断熱箱体を密閉する扉とその周縁部に設けられたガスケットと、ガスケットに形成された収納袋部に収納された磁石帯とからなり、磁石帯が前記フランジ部と密着することによって密閉空間をなし、前記ガスケットが、スチレン系，オレフィン系，ウレタン系，エステル系，アミド系，結晶ポリエチレン，シンジオタクチック１，２−ブタジエンラバー，トランス−１，４イソプレンラバーから選ばれた１つまたは２つ以上のハードセグメントを持ち、前記ハードセグメントにゴム成分を主体とするソフトセグメントを配合したサーモプラスチックエラストマーからなり、前記磁石帯がウレタン系発泡剤，ＥＰＤＭ系発泡剤，シリコン系発泡剤とアルニコ磁石，サマリウム・コバルト磁石，ネオジウム・鉄・ボロン磁石から選ばれた１つまたは２つ以上の磁性粉を含む磁性体との混合物からなるエラストマー発泡化した磁石帯であって、前記エラストマー発泡体化した磁石帯が、庫内側に硬いエラストマー発泡体を、庫外側に柔らかいエラストマー発泡体を配したものである。
【００２１】
この本発明によれば、非塩素系サーモプラスチックエラストマーを使用するので、廃棄された後に焼却された場合でも塩化水素を発生しなくでき、同じく焼却炉等の設備を塩化水素によって傷めない冷蔵庫用扉が得られる。
【００２３】
また、高磁性の磁性粉を使用するので磁石帯を薄くでき、結果的にガスケットの薄型化が図れるため、多扉化になってもガスケットを通じて侵入してくる熱量を増加させない冷蔵庫用扉が得られる。
【００２５】
また、磁石帯がエラストマー発泡体からなるため、収納袋部に隙間ができず開閉時に音がなくなるし、また一体成形や注入発泡による加工が行なえ挿入作業が省略できる組み立て性の高い冷蔵庫用扉が得られる。
【００２７】
また、磁石帯の柔らかさが庫内側と庫外側で異なるエラストマー発泡体からなるため、長期使用時には開閉時のフランジへの衝突力の差が生じても、ガスケット１５の内側部分の変形は小さく密閉性が損なわれることがなく、また重量の軽い発泡体エラストマーを使用するので重みによる変形を生じず、密閉性の高い冷蔵庫用扉が得られる。
【００２８】
そして、内箱と外箱の間に断熱材を充填した断熱箱体とその開口部に設けられたフランジ部と、前記断熱箱体を密閉する回転式動作において開閉する機構を持つ扉とその周縁部に設けられたガスケットと、ガスケットに形成された収納袋部に収納された磁石帯とからなり、磁石帯が前記フランジ部と密着することによって密閉空間をなし、前記ガスケットが、スチレン系，オレフィン系，ウレタン系，エステル系，アミド系，結晶ポリエチレン，シンジオタクチック１，２−ブタジエンラバー，トランス−１，４イソプレンラバーから選ばれた１つまたは２つ以上のハードセグメントを持ち、前記ハードセグメントにゴム成分を主体とするソフトセグメントを配合したサーモプラスチックエラストマーからなり、前記磁石帯がウレタン系発泡剤，ＥＰＤＭ系発泡剤，シリコン系発泡剤とアルニコ磁石，サマリウム・コバルト磁石，ネオジウム・鉄・ボロン磁石から選ばれた１つまたは２つ以上の磁性粉を含む磁性体との混合物からなるエラストマー発泡化した磁石帯であって、硬いエラストマー発泡体化した磁石帯と柔らかいエラストマー発泡体化した磁石帯を表面裏面の２層構造に配して、回転中心に近い側で硬いエラストマー発泡体化した磁石帯を厚く、遠い側で柔らかいエラストマー発泡体化した磁石帯を厚くしたものである。
【００２９】
この本発明によれば、硬軟のエラストマーを２層化しているので、長期使用時に硬いエラストマーが変形を生じても、柔らかいエラストマーが変形を補うので、密閉性が損なわれず、その結果電気エネルギー使用量が極端に増大しない冷蔵庫用扉が得られる。
【００３０】
【発明の実施の形態】
本発明の請求項１に記載の発明は、内箱と外箱の間に断熱材を充填した断熱箱体とその開口部に設けられたフランジ部と、前記断熱箱体を密閉する扉とその周縁部に設けられたガスケットと、ガスケットに形成された収納袋部に収納された磁石帯とからなり、磁石帯が前記フランジ部と密着することによって密閉空間をなし、前記ガスケットが、スチレン系，オレフィン系，ウレタン系，エステル系，アミド系，結晶ポリエチレン，シンジオタクチック１，２−ブタジエンラバー，トランス−１，４イソプレンラバーから選ばれた１つまたは２つ以上のハードセグメントを持ち、前記ハードセグメントにゴム成分を主体とするソフトセグメントを配合したサーモプラスチックエラストマーからなり、前記磁石帯がウレタン系発泡剤，ＥＰＤＭ系発泡剤，シリコン系発泡剤とアルニコ磁石，サマリウム・コバルト磁石，ネオジウム・鉄・ボロン磁石から選ばれた１つまたは２つ以上の磁性粉を含む磁性体との混合物からなるエラストマー発泡化した磁石帯であって、前記エラストマー発泡体化した磁石帯が、庫内側に硬いエラストマー発泡体を、庫外側に柔らかいエラストマー発泡体を配したものであり、廃棄された後に焼却処理された場合に、焼却時に塩化水素を発生しなくでき、同じく焼却炉等の設備を塩化水素によって傷めないという作用を有する。
また、高磁性の磁性粉を使用するので磁石帯を薄くでき、結果的にガスケットの薄型化が図れるため、多扉化になってもガスケットを通じて侵入してくる熱量を増加させない作用がある。
また、収納袋部に隙間ができず開閉時に音がしなくなる。また一体成形や注入発泡による加工が行なえるため、作業が省略できて組み立て性が高められると言う作用を有する。
また、長期使用時には開閉時のフランジへの衝突力の差が生じても、ガスケットの内側部分の変形は小さく密閉性が損なわれることがなく、また重量の軽い発泡体エラストマーを使用するので重みによる変形を生じず、密閉性が損なわれない作用を有する。
【００３１】
請求項２に記載の発明は、磁石帯に含まれる磁性体はアルニコ磁石，サマリウム・コバルト磁石，ネオジウム・鉄・ボロン磁石から選ばれた１つまたは２つ以上の磁性粉を含むものであり、高磁性の磁性粉を使用するので磁石帯を薄くでき、結果的にガスケットの薄型化が図れるため、多扉化になってもガスケットを通じて侵入してくる熱量を増加させない作用がある。
【００３２】
請求項３に記載の発明は、磁石帯がウレタン系発泡剤，ＥＰＤＭ系発泡剤，シリコン系発泡剤と請求項３記載の磁性体との混合物からなりエラストマー発泡体化したものであり、収納袋部に隙間ができず開閉時に音がしなくなる。また一体成形や注入発泡による加工が行なえるため、作業が省略できて組み立て性が高められると言う作用を有する。
【００３３】
請求項４に記載の発明は、エラストマー発泡体化した磁石帯において、庫内側に硬いエラストマー発泡体を、庫外側に柔らかいエラストマー発泡体を配したものであり、長期使用時には開閉時のフランジへの衝突力の差が生じても、ガスケットの内側部分の変形は小さく密閉性が損なわれることがなく、また重量の軽い発泡体エラストマーを使用するので重みによる変形を生じず、密閉性が損なわれない作用を有する。
【００３４】
請求項２に記載の発明は、回転式動作において開閉する機構を持つ扉において、硬いエラストマー発泡体化した磁石帯と柔らかいエラストマー発泡体化した磁石帯を表面裏面の２層構造に配して、回転中心に近い側で固いエラストマー発泡体化した磁石帯を厚く、遠い側で柔らかいエラストマー発泡体化した磁石帯を厚くしたものであり、長期使用時に硬いエラストマーが変形を生じても、柔らかいエラストマーが変形を補うので、密閉性が損なわれず、その結果電気エネルギー使用量が極端に増大しないという作用を有する。
【００３５】
以下、本発明の実施の形態について、図１を用いて説明する。なお、従来と同一構成については、同一符号を付して詳細な説明を省略する。
【００３６】
（実施の形態１）
図１は、本発明の実施例１による冷蔵庫用扉２５の要部断面図である。図１においてエラストマーガスケット２６は、スチレン系，オレフィン系，ウレタン系，エステル系，アミド系，結晶ポリエチレン，シンジオタクチック１，２−ブタジエンラバー，トランス−１，４イソプレンラバー等の塩素を含まないポリマーから選ばれた１つまたは２つ以上のハードセグメントを持ち、前記ハードセグメントにゴム成分を主体とするソフトセグメントを配合したサーモプラスチックエラストマーから構成されている。２７はダンピング部である。
【００３７】
以上のように構成された冷蔵庫用扉２５について、その動作を説明する。サーモプラスチックエラストマーは、塩化ビニルよりも柔らかくしても小応力条件では歪みにくく、開閉時に追随性が落ちる。しかし、ダンピング部２７は、小応力でも歪みやすく、追随性を向上する効果を有する。また、前記サーモプラスチックエラストマーは塩素を含まないので、廃棄された後に焼却処理されても塩化水素を発生せず、また焼却炉等の設備を塩化水素によって傷めないことが実現できる。また、これらサーモプラスチックエラストマーは繰り返し成形できることから、成形不良品も再利用できる。
【００３８】
（実施の形態２）
図２は、本発明の実施例２による冷蔵庫用扉２８の要部断面図である。図２において２９は高吸着ガスケットであり３０は磁石帯である。磁石帯３０は高磁性のアルニコ磁石，サマリウム・コバルト磁石，ネオジウム・鉄・ボロン磁石から選ばれた１つまたは２つ以上の高磁性の磁性粉とバインダーを混合して成形される。
【００３９】
以上のように構成された冷蔵庫用扉２８について、その動作を説明する。高磁性体の磁性粉を使用する磁石帯３０は、同じ磁力を得る場合には薄くでき、結果的に高吸着ガスケット２９の薄型化が図れる。そのため、多扉化になってもガスケット２９を通じて侵入してくる熱量を増加させないことが実現できる。
【００４０】
（実施の形態３）
図３は、本発明の実施例３による冷蔵庫用扉３１の要部断面図である。図３において３２は発泡ガスケットであり発泡磁石帯３３は、ウレタン系発泡剤，ＥＰＤＭ系発泡剤，クロロプレン系発泡剤，シリコン系発泡剤から選ばれた１つまたは２つ以上のエラストマーとアルニコ磁石，サマリウム・コバルト磁石，ネオジウム・鉄・ボロン磁石から選ばれた１つまたは２つ以上の高磁性の磁性粉との混合物からなりエラストマー発泡体化したものである。
【００４１】
以上のように構成された冷蔵庫用扉３１について、その動作を説明する。発泡磁石帯３３は発泡性サーモエラストマーと磁性粉の混合物を発泡して、収納袋部に隙間なく充填している。そのため開閉時に音がなくなるし、また押出し成形における一体成形や長いノズルによる注入発泡のような加工が行なえ、挿入するための作業が省略でき、組立て性が高められる。
【００４２】
（実施の形態４）
図４は、本発明の実施例４による冷蔵庫用扉３４の要部断面図である。図４において並列ガスケット３５は、硬いエラストマー発泡体からなる硬磁石帯３６が庫内側に、柔らかいエラストマー発泡体からなる軟磁石帯３７が庫外側に配置されている。
【００４３】
以上のように構成された冷蔵庫用扉３４について、その動作を説明する。磁石帯の柔らかさが庫内側と庫外側で異なるエラストマー発泡体からなるため、長期使用時に開閉時のフランジへの衝突力の差が生じても、ガスケット３５の庫内側の高磁石帯３６の変形は小さく、また小変形時には軟磁石帯３７が吸着するため密閉性が損なわれることがない。また重量の軽い発泡体エラストマーを使用するので重みによる変形は長期間にわたって生じず、密閉性が損なわれないことが実現できる。
【００４４】
（実施の形態５）
図５と図６は、本発明の実施例５による冷蔵庫用扉３８の要部断面図である。図において３９は回転軸であり、４０は二相ガスケットであり、４１は磁性粉を含む軟発泡エラストマー、４２は同じく磁性粉を含む硬発泡エラストマーであり、同時押出時の押出量を変化させることによって厚みを変化させる。
【００４５】
以上のように構成された冷蔵庫用扉３８について、その動作を説明する。扉を閉じる場合には、回転軸３９に近い側からフランジ部１９に接する。そのためガスケットは回転軸３９に近い側は遠い側よりも開閉の毎により大きな応力を受ける。そのため、長期使用時には応力による変形が回転軸に近い側に残存し、その結果、扉との間に隙が生じ外気が侵入し冷蔵庫の運転率が増す。ところが、二相ガスケット４０では、硬軟のエラストマーを２層化しているので、長期使用時に硬発泡エラストマー４２が変形を生じても、柔発泡エラストマー４１が変形を補うので、密閉性が損なわれず、その結果電気エネルギー使用量が極端に増大しないことが実現できる。
【００４６】
【発明の効果】
以上説明したように請求項１に記載の発明は、内箱と外箱の間に断熱材を充填した断熱箱体とその開口部に設けられたフランジ部と、前記断熱箱体を密閉する扉とその周縁部に設けられたガスケットと、ガスケットに形成された収納袋部に収納された磁石帯とからなり、磁石帯が前記フランジ部と密着することによって密閉空間をなし、前記ガスケットが、スチレン系，オレフィン系，ウレタン系，エステル系，アミド系，結晶ポリエチレン，シンジオタクチック１，２−ブタジエンラバー，トランス−１，４イソプレンラバーから選ばれた１つまたは２つ以上のハードセグメントを持ち、前記ハードセグメントにゴム成分を主体とするソフトセグメントを配合したサーモプラスチックエラストマーからなり、前記磁石帯がウレタン系発泡剤，ＥＰＤＭ系発泡剤，シリコン系発泡剤とアルニコ磁石，サマリウム・コバルト磁石，ネオジウム・鉄・ボロン磁石から選ばれた１つまたは２つ以上の磁性粉を含む磁性体との混合物からなるエラストマー発泡化した磁石帯であって、前記エラストマー発泡体化した磁石帯が、庫内側に硬いエラストマー発泡体を、庫外側に柔らかいエラストマー発泡体を配したので、廃棄された後に焼却処理された場合に、焼却時に塩化水素を発生しなくでき、同じく焼却炉等の設備を塩化水素によって傷めなくできる。
【００４７】
また、磁石帯に含まれる磁性体はアルニコ磁石，サマリウム・コバルト磁石，ネオジウム・鉄・ボロン磁石から選ばれた１つまたは２つ以上の磁性粉を含むので、磁石帯を薄くでき、結果的にガスケットの薄型化が図れるため、多扉化になってもガスケットを通じて侵入してくる熱量を増加させない作用がある。
【００４８】
また、磁石帯がウレタン系発泡剤，ＥＰＤＭ系発泡剤，シリコン系発泡剤と請求項３記載の磁性体との混合物からなりエラストマー発泡体化したことにより、収納袋部に隙間ができることがなく開閉時に音がなくなるし、また一体成形や注入発泡による加工が行なえるため作業が省略できて組み立て性を高くできる。また、請求項４に記載の発明は、請求項３記載のエラストマー発泡体化した磁石帯が、庫内側に硬いエラストマー発泡体を、庫外側に柔らかいエラストマー発泡体を配したことにより、長期使用時に開閉時のフランジへの衝突力の差が生じても、ガスケットの庫内側の高磁石帯の変形は小さく、また小変形時には軟磁石帯が吸着するため密閉性が損なわれることがない。また重量の軽い発泡体エラストマーを使用するので重みによる変形は長期間にわたって生じず、密閉性が損なわれない効果がある。
また、磁石帯の柔らかさが庫内側と庫外側で異なるエラストマー発泡体からなるため、長期使用時には開閉時のフランジへの衝突力の差が生じても、ガスケット１５の内側部分の変形は小さく密閉性が損なわれることがなく、また重量の軽い発泡体エラストマーを使用するので重みによる変形を生じず、密閉性の高い冷蔵庫用扉が得られる。
【００４９】
また、請求項２に記載の発明は、回転式動作において開閉する機構を持つ扉において、硬いエラストマー発泡体化した磁石帯と柔らかいエラストマー発泡体化した磁石帯を表面裏面の２層構造に配して、回転中心に近い側で硬いエラストマー発泡体化した磁石帯を厚く、遠い側で柔らかいエラストマー発泡体化した磁石帯を厚くしたことにより、長期使用時に片側のエラストマーが変形を生じても、もう一方のエラストマーが変形を補うので、密閉性が損なわれず、その結果電気エネルギー使用量が極端に増大しなくできる。
【図面の簡単な説明】
【図１】本発明の第１の実施例の冷蔵庫扉の要部断面図
【図２】本発明の第２の実施例の冷蔵庫扉の要部断面図
【図３】本発明の第３の実施例の冷蔵庫扉の要部断面図
【図４】本発明の第４の実施例の冷蔵庫扉の要部断面図
【図５】本発明の第５の実施例の冷蔵庫扉の要部断面図
【図６】本発明の第５の実施例の冷蔵庫扉の水平断面図
【図７】本発明の第７の実施例の冷蔵庫扉の要部断面図
【図８】従来の冷蔵庫扉の要部断面図
【符号の説明】
２  冷蔵室扉
２６  エラストマーガスケット
２９  高吸着ガスケット
３０  磁石帯
３２  発泡ガスケット
３３  発泡磁石帯
３５  並列ガスケット
３６  硬磁石帯
３７  軟磁石帯
４０  二相ガスケット
４１  軟発泡エラストマー
４２  硬発泡エラストマー
【図１】
0003872161.tif 000002
【図２】
0003872161.tif 000003
【図３】
0003872161.tif 000004
【図４】
0003872161.tif 000005
【図５】
0003872161.tif 000006
【図６】
0003872161.tif 000007
【図７】
0003872161.tif 000008
【図８】
0003872161.tif 000009